(57)【要約】【課題】  取り扱いが安全で大型になっても軽量で安定した構造をもち、収納するときには、部品の一部が収納ボックスになる展示用バナースタンドを提供する。【解決手段】  複数本を接続した紙管製の支柱１とその上端部にＴ字型になる紙管製の横バー２を設け、支柱の下部に紙製で土台と収納箱を兼ねた土台ボックス３を設け、支柱を土台ボックスの中央に差し込み本体中心部を形成し、表示部の布バナー４は両端にはスタンドの足５となる厚紙を貼着し、一方の端を土台ボックスの側面に取り付け、横バーの上を渡して、もう一方の端を土台ボックスの反対側面に取り付けた構造をもつことを特徴とする。あるいは本体中心部を前述の通りとし、表示部のバナーが片面表示タイプを用いた構造を特徴とする。【選択図】  図１
0003103363.tif 000002
【実用新案登録請求の範囲】
【請求項１】
複数本を接続した紙管製の支柱（１）とその上端部にＴ字型になる紙管製の横バー（２）を設け、支柱（１）の下部に横バー（２）とは９０度の向きに横長になる紙製で土台と収納箱を兼ねた土台ボックス（３）を設け、支柱（１）を土台ボックス（３）の中央に差し込み本体中心部を形成する。表示部の布バナー（４）は両端にスタンドの足（５）となる土台への取り付け構造をもつ厚紙を貼着し、一方の端を土台ボックス（３）の側面に取り付け、横バー（２）の上を渡して、もう一方の端を土台ボックス（３）の反対側面に取り付ける。以上のような構造をもつ展示用バナースタンド。
【考案の詳細な説明】
【技術分野】本考案は、店頭やイベント会場などに立てて広告や宣伝などに使用する展示用バナースタンドに関するものである。
【背景技術】
【０００１】従来、展示用バナースタンドは金属やプラスチックの弾力のある棒で弓型や「く」の字型に立て、あるいはパイプなどで支柱を形成し、横桟を取り付けたバナー（垂れ幕）を下げていた。また、弾力のある棒や支柱の土台は、安定性を出すために金属やプラスチックの棒などで三角形や多角形に組んだり、あるいは厚手の台座を用いていた。
【考案の開示】
【考案が解決しようとする課題】
【０００２】これは次のような欠点があった。
（イ）弾力のある棒など骨組み部材に金属やプラスチックを用いているため、スタンドを      組み立てるとき、弾力ある棒がはじけて手に怪我をすることがあった。
（ロ）棒や支柱などの骨組み部材や土台に金属やプラスチックを用いているため、使用済      みで処分するときに、産業廃棄物になりゴミを増やすことになった。
（ハ）表示用のバナーは広告面が片面だけであるため、裏側の構造部が露出したり、ある      いは裏側を壁面に向けて設置するなどの制約があった。
（ニ）表示用のバナーは差し替えが容易ではなく、絵柄を差し替えるときは構造部も含め      て全て作り直す必要があった。
（ホ）組立式の展示用スタンドでは、棒や支柱や土台などの部品を収納するために、別に      箱を用意する必要があった。
【課題を解決するための手段】
【０００３】上記の課題を解決するために本考案は、複数本を接続した紙管製の支柱（１）とその上端部にＴ字型になる紙管製の横バー（２）を設け、支柱（１）の下部に、横バー（２）とは９０度の向きに横長になる紙製で土台と収納箱を兼ねた土台ボックス（３）を設け、支柱（１）を土台ボックス（３）の中央に差し込み本体中心部を形成する。表示部の布バナー（４）は両端にスタンドの足（５）となる土台への取り付け構造をもつ厚紙を貼着し、一方の端を土台ボックス（３）の側面に取り付け、横バー（２）の上を渡して、もう一方の端を土台ボックス（３）の反対側面に取り付ける。以上のような構造をもつことを特徴とする。
【考案の効果】
【０００４】本考案により、本体中心部および表示部の部品に紙あるいは布を主要材質として用いることで取扱中に怪我をすることがなく、また全体は軽量であり、横バーと土台ボックスの位置関係が９０度でバランスが取れ、さらに布バナーの両端に取り付けられたスタンドの足によって安定した構造になり、大型サイズの表示面でも倒れにくくなっている。また、各部品は紙や布でできているためリサイクルが可能で、産廃ゴミにならないものになっている。表示部では、広告などの表示面が両面についており、２方向からの表示効果が得られる。表示部の差し替えは、布バナーにスタンドの足の付いた部分を取り替えるだけで、本体中心部や土台ボックスは継続使用ができる。さらに、各部品の分解が容易で収納は本体構成の一部となる土台ボックスにすべての部品が収まり軽量かつコンパクトで、運搬や保管に便利になっている。
【実施例】
【０００５】以下、本考案の実施例について説明する。
（イ）長さ６０ｃｍの３本の紙管を接続した支柱（１）とその上端部にＴ字型になる長さ      ６０ｃｍの紙管製の横バー（２）を設け、支柱（１）の下部に横バー（２）とは９      ０度の向きで横長になり寸法が横６５ｃｍ、縦１０ｃｍ、高さ３０ｃｍの段ボール      製の土台ボックス（３）を設け、支柱（１）を土台ボックス（３）の中央に差し込      み本体中心部を形成する。
（ロ）布バナー（４）の両端にはスタンドの足となるそれぞれ６０ｃｍ×１５ｃｍの長さ      で土台へ差し込み式に取り付けが可能な構造を持った厚紙を貼着し、一方の端を土      台ボックス（３）の側面の差込口に取り付け、布を横バー（２）の上を渡してもう      一方の端を土台ボックス（３）の反対側面の差込口に取り付けて表示部を形成する      。
（ハ）収納するときは、支柱（１）は２箇所の接合部の差込みを取り外し、横バー（２）      は支柱との接合部の差込みを取り外し分割する。土台ボックス（３）の両端に差込      式で取り付けた厚紙のスタンドの足（５）を取り外し、厚紙を芯にして布バナー（      ４）は折り畳みあるいは巻いて、全ての部品を土台ボックス（３）に収納する。
本考案は以上のような構造で、本体中心部および表示部を組立て、使用後は各部品を分解しボックスに収納する。
【産業上の利用可能性】
【０００６】本体中心部および表示部の部品に紙あるいは布を主要材質として用いることで、取扱中に手に怪我をすることがなく、また、全体が軽量で環境にやさしくエコロジー対応している。表示面は２方向の面でそれぞれの表示ができるため、窓際に置いて外側と内側で、あるいは部屋の出入口に置いて入る時と出る時の２方向からの広告表示ができる。また、展示のテーマによって表示部のデザインを替えて再使用ができて、最終的に処分する時でも、紙や布のリサイクルが可能で、産廃ゴミにならないものになっている。展示使用しない時には、本体構成の一部となる土台ボックスにすべての部品が収まり軽量かつコンパクトで、運搬や保管に便利で部品の紛失防止になっている。
【図面の簡単な説明】
【図１】本考案を示した斜視図である。
【符号の説明】
１．支柱
２．横バー
３．土台ボックス
４．布バナー
５．スタンドの足
【図２】
従来の展示用スタンドを示した斜視図である。
【符号の説明】
６．弾力のある棒
７．横桟
８．バナー
９．三角形に組んだ土台
【図１】
0003103363.tif 000003
【図２】
0003103363.tif 000004
【手続補正書】
【提出日】平成15年12月12日(2003.12.12)
【手続補正１】
【補正対象書類名】実用新案登録請求の範囲
【補正対象項目名】全文
【補正方法】変更
【補正の内容】
【実用新案登録請求の範囲】
【請求項１】
複数本を接続した紙管製の支柱（１）とその上端部にＴ字型になる紙管製の横バー（２）を設け、支柱（１）の下部に紙製で土台と収納箱を兼ねた土台ボックス（３）を設け、支柱（１）を土台ボックス（３）の中央に差し込み本体中心部を形成する。表示部の布バナー（４）は両端にスタンドの足（５）となる土台への取り付け構造をもつ厚紙を貼着し、一方の端を土台ボックス（３）の側面に取り付け、横バー（２）の上を渡して、もう一方の端を土台ボックス（３）の反対側面に取り付ける。以上のような構造をもつ展示用バナースタンド。
【請求項２】
請求項１記載の支柱（１）、横バー（２）を有し、支柱（１）の下部に紙製で土台と収納箱を兼ねた土台ボックス（１３）を設け、支柱（１）を土台ボックス（１３）の中央に差し込み本体中心部を形成する。表示部のバナー（１４）は一端を横バー（２）に取り付け、もう一端をスタンドの足（１５）となる土台への取り付け構造をもつ厚紙に貼着し、土台ボックス（１３）に取り付けた片面表示タイプの展示用バナースタンド。
【手続補正２】
【補正対象書類名】明細書
【補正対象項目名】全文
【補正方法】変更
【補正の内容】
【考案の詳細な説明】
【技術分野】本考案は、店頭やイベント会場などに立てて広告や宣伝などに使用する展示用バナースタンドに関するものである。【０００１】
【背景技術】従来、展示用バナースタンドは金属やプラスチックの弾力のある棒で弓型や「く」の字型に立て、あるいはパイプなどで支柱を形成し、横桟を取り付けたバナー（垂れ幕）を下げていた。また、弾力のある棒や支柱の土台は、安定性を出すために金属やプラスチックの棒などで三角形や多角形に組んだり、あるいは厚手の台座を用いていた。【０００２】
【考案の開示】
【考案が解決しようとする課題】これは次のような欠点があった。
（イ）弾力のある棒など骨組み部材に金属やプラスチックを用いているため、スタンドを組み立てるとき、弾力ある棒がはじけて手に怪我をすることがあった。
（ロ）棒や支柱などの骨組み部材や土台に金属やプラスチックを用いているため、使用済みで処分するときに、産業廃棄物になりゴミを増やすことになった。
（ハ）表示用のバナーは差し替えが容易ではなく、絵柄を差し替えるときは構造部も含めて全て作り直す必要があった。
（ニ）組立式の展示用スタンドでは、棒や支柱や土台などの部品を収納するために、別に箱を用意する必要があった。【０００３】
【課題を解決するための手段】上記の課題を解決するために本考案は、複数本を接続した紙管製の支柱（１）とその上端部にＴ字型になる紙管製の横バー（２）を設け、支柱（１）の下部に紙製で土台と収納箱を兼ねた土台ボックス（３）を設け、支柱（１）を土台ボックス（３）の中央に差し込み本体中心部を形成する。表示部の布バナー（４）は両端にスタンドの足（５）となる土台への取り付け構造をもつ厚紙を貼着し、一方の端を土台ボックス（３）の側面に取り付け、横バー（２）の上を渡して、もう一方の端を土台ボックス（３）の反対側面に取り付ける。
あるいは、前述の支柱（１）、横バー（２）を有し、支柱（１）の下部に紙製で土台と収納箱を兼ねた土台ボックス（１３）を設け、支柱（１）を土台ボックス（１３）の中央に差し込み本体中心部を形成する。表示部のバナー（１４）は一端を横バー（２）に取り付け、もう一端をスタンドの足（１５）となる土台への取り付け構造をもつ厚紙に貼着し、土台ボックス（１３）に取り付ける。
以上のような構造をもつことを特徴とする。【０００４】
【考案の効果】本考案により、本体中心部および表示部の部品に紙あるいは布を主要材質として用いることで取り扱いが安全で、全体が軽量にできている。また、布バナーに取り付けられたスタンドの足と土台ボックスによって安定した構造になり、大型サイズの表示面でも倒れにくくなっている。また、各部品は紙や布などでできているためリサイクルが可能で産廃ゴミにならないものになっている。表示部の差し替えは、布バナーにスタンドの足の付いた部分を取り替えるだけで、本体中心部や土台ボックスは継続使用ができる。さらに、各部品の分解が容易で収納は本体構成の一部となる土台ボックスにすべての部品が収まり軽量かつコンパクトで、運搬や保管に便利になっている。【０００５】
【実施例１】以下、本考案の請求項１記載の実施例について説明する。
（イ）長さ６０ｃｍの３本の紙管を接続した支柱（１）とその上端部にＴ字型になる長さ６０ｃｍの紙管製の横バー（２）を設け、支柱（１）の下部に横バー（２）とは９０度の向きで横長になり寸法が横６５ｃｍ、縦１０ｃｍ、高さ３０ｃｍの段ボール製の土台ボックス（３）を設け、支柱（１）を土台ボックス（３）の中央に差し込み本体中心部を形成する。
（ロ）布バナー（４）の両端にはスタンドの足となるそれぞれ６０ｃｍ×１５ｃｍの長さで土台へ差し込み式に取り付けが可能な構造を持った厚紙を貼着し、一方の端を土台ボックス（３）の側面の差込口に取り付け、布を横バー（２）の上を渡してもう一方の端を土台ボックス（３）の反対側面の差込口に取り付けて表示部を形成する。
（ハ）収納するときは、支柱（１）は２箇所の接合部の差込みを取り外し、横バー（２）は支柱との接合部の差込みを取り外し分割する。土台ボックス（３）の両端に差込式で取り付けた厚紙のスタンドの足（５）を取り外し、厚紙を芯にして布バナー（４）は折り畳みあるいは巻いて、全ての部品を土台ボックス（３）に収納する。【０００６】
【実施例２】以下、本考案の請求項２記載の実施例について説明する。
（ニ）長さ５０ｃｍの３本の紙管を接続した支柱（１）とその上端部にＴ字型になる長さ５０ｃｍの紙管製の横バー（２）を設け、支柱（１）の下部に一辺が１５ｃｍの三角形の面を持つ長さが５０ｃｍの段ボール製の土台ボックス（１３）を設け、支柱（１）を土台ボックス（１３）の中央に差し込み本体中心部を形成する。
（ホ）表示部のバナー（１４）は布あるいはリサイクルや再使用可能なシートを用い、一端を横バー（２）に取り付け、もう一端をスタンドの足（１５）となる５０ｃｍ×１０ｃｍの大きさで差し込み式の厚紙に貼着し、土台ボックス（１３）に取り付け表示部を形成する。
（ヘ）収納するときは実施例１記載と同様に土台ボックス（１３）に各部品を入れる。
本考案は以上のような構造で、本体中心部および表示部を組み立て、使用後は各部品を分解し、ボックスに収納する。【０００７】
【産業上の利用可能性】本体中心部および表示部の部品に紙あるいは布を主要材質として用いることで、取り扱い中に怪我をすることなく、また、全体が軽量で環境にやさしく、エコロジー対応している。また、展示のテーマによって表示部のデザインを替えて再使用ができる。最終的に処分する時でも、紙や布などの素材のためリサイクルが可能で、産廃ゴミにはならない。展示使用しない時には、本体構成の一部となる土台ボックスにすべての部品が収まり、軽量かつコンパクトで、運搬や保管に便利で部品の紛失防止になっている。
【図面の簡単な説明】
【図１】  本考案（請求項１記載）を示した斜視図である。
【符号の説明】
１．支柱
２．横バー
３．土台ボックス
４．布バナー
５．スタンドの足
【図２】
本考案（請求項２記載）を示した斜視図である。
【符号の説明】
１．支柱
２．横バー
１３．土台ボックス
１４．バナー
１５．スタンドの足
【図３】
従来の展示用スタンドを示した斜視図である。
【符号の説明】
６．弾力のある棒
７．横桟
８．バナー
９．三角形に組んだ土台
【手続補正３】
【補正対象書類名】図面
【補正対象項目名】全図
【補正方法】変更
【補正の内容】
【図１】
0003103363.tif 000005
【図２】
0003103363.tif 000006
【図３】
0003103363.tif 000007
【手続補正書】
【提出日】平成16年3月25日(2004.3.25)
【手続補正１】
【補正対象書類名】実用新案登録請求の範囲
【補正対象項目名】全文
【補正方法】変更
【補正の内容】
【実用新案登録請求の範囲】
【請求項１】
広告や宣伝などに使用する展示用スタンドにおいて、
（ａ）複数本を接続した紙管製の支柱（１）とその上端部にＴ字型になる紙管製の横バー（２）を設け、支柱（１）の下部に紙製で土台と収納箱を兼ねた土台ボックス（３）を設け、支柱（１）を土台ボックス（３）の中央に差し込み本体中心部を形成する。
（ｂ）表示部の布バナー（４）は両端にスタンドの足（５）となる土台への取り付け構造をもつ厚紙を貼着し、一方の端を土台ボックス（３）の側面に取り付け、横バー（２）の上を渡して、もう一方の端を土台ボックス（３）の反対側面に取り付ける。
以上からなる展示用バナースタンド。
【請求項２】
（ｃ）請求項１記載の支柱（１）、横バー（２）を有し、支柱（１）の下部に紙製で土台と収納箱を兼ねた土台ボックス（１３）を設け、支柱（１）を土台ボックス（１３）の中央に差し込み本体中心部を形成する。
（ｄ）表示部のバナー（１４）は一端を横バー（２）に取り付け、もう一端をスタンドの足（１５）となる土台への取り付け構造をもつ厚紙に貼着し、土台ボックス（１３）に取り付ける。
以上からなる片面表示タイプの展示用バナースタンド。
【手続補正２】
【補正対象書類名】明細書
【補正対象項目名】全文
【補正方法】変更
【補正の内容】
【考案の詳細な説明】
【技術分野】
【０００１】  本考案は、店頭やイベント会場などに立てて広告や宣伝などに使用する展示用バナースタンドに関するものである。
【背景技術】
【０００２】  従来、展示用バナースタンドは金属やプラスチックの弾力のある棒で弓型や「く」の字型に立て、あるいはパイプなどで支柱を形成し、横桟を取り付けたバナー（垂れ幕）を下げていた。また、弾力のある棒や支柱の土台は、安定性を出すために金属やプラスチックの棒などで三角形や多角形に組んだり、あるいは厚手の台座を用いていた。
【考案の開示】
【考案が解決しようとする課題】
【０００３】  これは次のような欠点があった。
（イ）弾力のある棒など骨組み部材に金属やプラスチックを用いているため、スタンドを組み立てるとき、弾力ある棒がはじけて手に怪我をすることがあった。
（ロ）棒や支柱などの骨組み部材や土台に金属やプラスチックを用いているため、使用済みで処分するときに、産業廃棄物になりゴミを増やすことになった。
（ハ）表示用のバナーは差し替えが容易ではなく、絵柄を差し替えるときは構造部も含めて全て作り直す必要があった。
（ニ）組立式の展示用スタンドでは、棒や支柱や土台などの部品を収納するために、別に箱を用意する必要があった。
【課題を解決するための手段】
【０００４】  上記の課題を解決するために本考案は、複数本を接続した紙管製の支柱（１）とその上端部にＴ字型になる紙管製の横バー（２）を設け、支柱（１）の下部に紙製で土台と収納箱を兼ねた土台ボックス（３）を設け、支柱（１）を土台ボックス（３）の中央に差し込み本体中心部を形成する。表示部の布バナー（４）は両端にスタンドの足（５）となる土台への取り付け構造をもつ厚紙を貼着し、一方の端を土台ボックス（３）の側面に取り付け、横バー（２）の上を渡して、もう一方の端を土台ボックス（３）の反対側面に取り付ける。
あるいは、前述の支柱（１）、横バー（２）を有し、支柱（１）の下部に紙製で土台と収納箱を兼ねた土台ボックス（１３）を設け、支柱（１）を土台ボックス（１３）の中央に差し込み本体中心部を形成する。表示部のバナー（１４）は一端を横バー（２）に取り付け、もう一端をスタンドの足（１５）となる土台への取り付け構造をもつ厚紙に貼着し、土台ボックス（１３）に取り付ける。
以上のような構造をもつことを特徴とする。
【考案の効果】
【０００５】  本考案により、本体中心部および表示部の部品に紙あるいは布を主要材質として用いることで取り扱いが安全で、全体が軽量にできている。また、布バナーに取り付けられたスタンドの足と土台ボックスによって安定した構造になり、大型サイズの表示面でも倒れにくくなっている。また、各部品は紙や布などでできているためリサイクルが可能で産廃ゴミにならないものになっている。表示部の差し替えは、布バナーにスタンドの足の付いた部分を取り替えるだけで、本体中心部や土台ボックスは継続使用ができる。さらに、各部品の分解が容易で収納は本体構成の一部となる土台ボックスにすべての部品が収まり軽量かつコンパクトで、運搬や保管に便利になっている。
【実施例１】
【０００６】  以下、本考案の請求項１記載の実施例について説明する。
（イ）長さ６０ｃｍの３本の紙管を接続した支柱（１）とその上端部にＴ字型になる長さ６０ｃｍの紙管製の横バー（２）を設け、支柱（１）の下部に横バー（２）とは９０度の向きで横長になり寸法が横６５ｃｍ、縦１０ｃｍ、高さ３０ｃｍの段ボール製の土台ボックス（３）を設け、支柱（１）を土台ボックス（３）の中央に差し込み本体中心部を形成する。
（ロ）布バナー（４）の両端にはスタンドの足となるそれぞれ６０ｃｍ×１５ｃｍの長さで土台へ差し込み式に取り付けが可能な構造を持った厚紙を貼着し、一方の端を土台ボックス（３）の側面の差込口に取り付け、布を横バー（２）の上を渡してもう一方の端を土台ボックス（３）の反対側面の差込口に取り付けて表示部を形成する。
（ハ）収納するときは、支柱（１）は２箇所の接合部の差込みを取り外し、横バー（２）は支柱との接合部の差込みを取り外し分割する。土台ボックス（３）の両端に差込式で取り付けた厚紙のスタンドの足（５）を取り外し、厚紙を芯にして布バナー（４）は折り畳みあるいは巻いて、全ての部品を土台ボックス（３）に収納する。
【実施例２】
【０００７】  以下、本考案の請求項２記載の実施例について説明する。
（ニ）長さ５０ｃｍの３本の紙管を接続した支柱（１）とその上端部にＴ字型になる長さ５０ｃｍの紙管製の横バー（２）を設け、支柱（１）の下部に一辺が１５ｃｍの三角形の面を持つ長さが５０ｃｍの段ボール製の土台ボックス（１３）を設け、支柱（１）を土台ボックス（１３）の中央に差し込み本体中心部を形成する。
（ホ）表示部のバナー（１４）は布あるいはリサイクルや再使用可能なシートを用い、一端を横バー（２）に取り付け、もう一端をスタンドの足（１５）となる５０ｃｍ×１０ｃｍの大きさで差し込み式の厚紙に貼着し、土台ボックス（１３）に取り付け表示部を形成する。
（ヘ）収納するときは実施例１記載と同様に土台ボックス（１３）に各部品を入れる。本考案は以上のような構造で、本体中心部および表示部を組み立て、使用後は各部品を分解し、ボックスに収納する。
【産業上の利用可能性】
【０００８】  本体中心部および表示部の部品に紙あるいは布を主要材質として用いることで、取り扱い中に怪我をすることなく、また、全体が軽量で環境にやさしく、エコロジー対応している。また、展示のテーマによって表示部のデザインを替えて再使用ができる。最終的に処分する時でも、紙や布などの素材のためリサイクルが可能で、産廃ゴミにはならない。展示使用しない時には、本体構成の一部となる土台ボックスにすべての部品が収まり、軽量かつコンパクトで、運搬や保管に便利で部品の紛失防止になっている。
【図面の簡単な説明】
【０００９】
【図１】  本考案（請求項１記載）を示した斜視図である。
【図２】  本考案（請求項２記載）を示した斜視図である。
【図３】  従来の展示用スタンドを示した斜視図である。
【符号の説明】
【００１０】        １．支柱
２．横バー
３．土台ボックス
４．布バナー
５．スタンドの足
６．弾力のある棒
７．横桟
８．バナー
９．三角形に組んだ土台
１３．土台ボックス
１４．バナー
１５．スタンドの足